【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
画像獲得装置によって獲得された画像データを、コンピュータ装置からネットワークを介してクライアント・コンピュータに伝送する画像伝送方法であって、
前記コンピュータが、前記画像獲得装置によって獲得された画像データに関する前記クライアント・コンピュータの利用可能性について登録を受け付けるステップと、
前記クライアント・コンピュータに前記画像獲得装置のドライバーをインストールするステップと、
前記クライアント・コンピュータでアプリケーション・プログラムを動作させるステップと、
前記クライアント・コンピュータがインストールされた前記画像獲得装置のドライバーを選択するステップと、
前記クライアント・コンピュータが前記コンピュータ装置において利用可能なものとして登録されている場合、前記選択された前記画像獲得装置のドライバーが、前記画像獲得装置によって獲得された前記画像データを前記ネットワークを介して前記アプリケーション・プログラムに取り込むステップと
を具備することを特徴とする画像伝送方法。
【請求項２】
前記画像形成装置のドライバーが前記画像データを取り込むステップでは、前記画像形成装置のドライバーは、ユーザによるファイル検索を行うことなく、前記画像データを取り込むことを特徴とする請求項１に記載の画像伝送方法。
【請求項３】
前記画像形成装置のドライバーが前記画像データを取り込む際に、当該取込プロセスを識別する情報を前記コンピュータ装置に記憶するステップをさらに具備する
ことを特徴とする請求項１または２に記載の画像伝送方法。
【請求項４】
前記画像形成装置のドライバーが前記画像データを取り込む際に、取り消しを許可する旨を表示させるステップと、
前記クライアント・コンピュータが、取り消し要求があった場合に、取り消しコマンドを前記コンピュータ装置に送信するステップと、
前記取り消しコマンドを受けた前記コンピュータ装置が、記憶されている前記取込プロセスを識別する情報に基づいて、当該取り消しコマンドに対応する取込プロセスを取り消すステップと
をさらに具備することを特徴とする請求項３に記載の画像伝送方法。
【請求項５】
前記コンピュータ装置が、その表示画面に実行可能なジョブを表示するステップをさらに具備し、
前記画像獲得装置のドライバーによる画像データ取り込みステップでは、前記ジョブの中でユーザに選択されたジョブにしたがって画像データの取り込みが行われる
ことを特徴とする請求項１に記載の画像伝送方法。
【請求項６】
前記コンピュータ装置が、当該コンピュータ装置のユーザインターフェースを介してスキャナパラメータの設定を受けるステップをさらに具備し、
前記画像獲得装置のドライバーによる画像データ取り込みステップでは、前記設定されたスキャナパラメータにしたがって前記画像獲得装置がスキャンした画像データの取り込みが行われる
ことを特徴とする請求項１に記載の画像伝送方法。
【請求項７】
前記画像獲得装置のドライバーは、複数のアプリケーション・プログラムにより使用可能であることを特徴とする請求項１に記載の画像伝送方法。
【請求項８】
画像獲得装置によって獲得された画像データを、ネットワークを介してクライアント・コンピュータに送信するコンピュータ装置であって、
前記画像獲得装置によって獲得された画像データに関する前記クライアント・コンピュータの利用可能性についての登録を受け付ける手段と、
前記画像獲得装置を画像データのソースとして選択している前記クライアント・コンピュータから画像獲得コマンドを受けた場合において、当該クライアント・コンピュータが利用可能なものとして登録されているときには、当該クライアント・コンピュータで動作するアプリケーション・プログラムに対し、前記ネットワークを介して前記画像獲得装置によって獲得された画像データを送信する手段と
を具備することを特徴とするコンピュータ装置。
【請求項９】
コンピュータに、
画像獲得装置によって獲得された画像データを送信するコンピュータ装置に、前記画像データに関する当該コンピュータの利用可能性を登録させる手順と、
画像データのソースとして選択された画像獲得装置に対応する前記コンピュータ装置に対し、画像獲得コマンドをネットワークを介して送信する手順と、
送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを受信する手順と、
受信した前記画像データを当該コンピュータで動作するアプリケーション・プログラムに取り込ませる手順と
を実行させるためのプログラムを記憶したコンピュータ読取可能な記録媒体。
【請求項１０】
コンピュータに画像データを取り込む画像処理方法であって、
画像獲得装置によって獲得された画像データを送信するコンピュータ装置に、前記画像データに関する当該コンピュータの利用可能性を登録させるステップと、
画像データのソースとして選択された画像獲得装置を管理する前記コンピュータ装置に対し、画像獲得コマンドをネットワークを介して送信するステップと、
送信した前記画像獲得コマンドに受信した前記コンピュータ装置に当該コンピュータ装置が利用可能なものとして登録されている場合に、前記コンピュータ装置から前記ネットワークを介して送信される前記画像獲得装置によって獲得された画像データを受信するステップと、
受信した前記画像データを当該コンピュータで動作するアプリケーション・プログラムに取り込ませるステップと
を具備する画像処理方法。
【請求項１１】
コンピュータに、
画像獲得装置のドライバーの選択を受け付ける手順と、
前記選択した画像獲得装置のドライバーにより、前記画像獲得装置によって獲得された画像データを送信するコンピュータ装置に、前記画像データに関する当該コンピュータの利用可能性を登録させる手順と、
画像データのソースとして選択された前記画像獲得装置を管理する前記コンピュータ装置に画像獲得コマンドを前記画像獲得装置のドライバーにより前記ネットワークを介して送信させる手順と、
送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを前記選択した画像獲得装置のドライバーに取り込ませる手順と、
を実行させるためのプログラムを記憶したコンピュータ読取可能な記録媒体。
【請求項１２】
画像獲得装置によって獲得された画像データを送信するコンピュータ装置から、ネットワークを介して前記画像データをコンピュータに取り込む画像処理方法であって、
前記コンピュータにおいて前記画像獲得装置のドライバーの選択を受け付けるステップと、
前記選択した画像獲得装置のドライバーにより、前記コンピュータ装置に前記画像データに関する当該コンピュータの利用可能性を登録させるステップと、
画像データのソースとして選択された前記画像獲得装置を対応する前記コンピュータ装置に対し、前記画像獲得装置のドライバーにより前記ネットワークを介して画像獲得コマンドを送信させるステップと、
送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを前記選択した画像獲得装置のドライバーに取り込ませるステップと
を具備することを特徴とする画像処理方法。
【手続補正２】
【補正対象書類名】明細書
【補正対象項目名】発明の名称
【補正方法】変更
【補正の内容】
【発明の名称】スキャナからネットワークを介してクライアント・コンピュータに画像情報を伝送するための画像伝送方法、コンピュータ装置、コンピュータ読取可能な記録媒体、および、画像処理方法
【手続補正３】
【補正対象書類名】明細書
【補正対象項目名】００１４
【補正方法】変更
【補正の内容】
【００１４】
上記の目的を達成するために、請求項１に係る画像伝送方法にあっては、画像獲得装置によって獲得された画像データを、コンピュータ装置からネットワークを介してクライアント・コンピュータに伝送する画像伝送方法であって、前記コンピュータが、前記画像獲得装置によって獲得された画像データに関する前記クライアント・コンピュータの利用可能性について登録を受け付けるステップと、前記クライアント・コンピュータに前記画像獲得装置のドライバーをインストールするステップと、前記クライアント・コンピュータでアプリケーション・プログラムを動作させるステップと、前記クライアント・コンピュータがインストールされた前記画像獲得装置のドライバーを選択するステップと、前記クライアント・コンピュータが前記コンピュータ装置において利用可能なものとして登録されている場合、前記選択された前記画像獲得装置のドライバーが、前記画像獲得装置によって獲得された前記画像データを前記ネットワークを介して前記アプリケーション・プログラムに取り込むステップとを具備するものである。
【手続補正４】
【補正対象書類名】明細書
【補正対象項目名】００１５
【補正方法】変更
【補正の内容】
【００１５】
請求項２に係る画像伝送方法にあっては、前記画像形成装置のドライバーが前記画像データを取り込むステップでは、前記画像形成装置のドライバーは、ユーザによるファイル検索を行うことなく、前記画像データを取り込むことを特徴とする。
【手続補正５】
【補正対象書類名】明細書
【補正対象項目名】００１６
【補正方法】変更
【補正の内容】
【００１６】
請求項３に係る画像伝送方法にあっては、前記画像形成装置のドライバーが前記画像データを取り込む際に、当該取込プロセスを識別する情報を前記コンピュータ装置に記憶するステップをさらに具備することを特徴とする。
【手続補正６】
【補正対象書類名】明細書
【補正対象項目名】００１７
【補正方法】変更
【補正の内容】
【００１７】
請求項４に係る画像伝送方法にあっては、前記画像形成装置のドライバーが前記画像データを取り込む際に、取り消しを許可する旨を表示させるステップと、前記クライアント・コンピュータが、取り消し要求があった場合に、取り消しコマンドを前記コンピュータ装置に送信するステップと、前記取り消しコマンドを受けた前記コンピュータ装置が、記憶されている前記取込プロセスを識別する情報に基づいて、当該取り消しコマンドに対応する取込プロセスを取り消すステップとをさらに具備することを特徴とする。
【手続補正７】
【補正対象書類名】明細書
【補正対象項目名】００１８
【補正方法】変更
【補正の内容】
【００１８】
請求項５に係る画像伝送方法にあっては、前記コンピュータ装置が、その表示画面に実行可能なジョブを表示するステップをさらに具備し、前記画像獲得装置のドライバーによる画像データ取り込みステップでは、前記ジョブの中でユーザに選択されたジョブにしたがって画像データの取り込みが行われることを特徴とする。
【手続補正８】
【補正対象書類名】明細書
【補正対象項目名】００１９
【補正方法】変更
【補正の内容】
【００１９】
請求項６に係る画像伝送方法にあっては、前記コンピュータ装置が、当該コンピュータ装置のユーザインターフェースを介してスキャナパラメータの設定を受けるステップをさらに具備し、前記画像獲得装置のドライバーによる画像データ取り込みステップでは、前記設定されたスキャナパラメータにしたがって前記画像獲得装置がスキャンした画像データの取り込みが行われることを特徴とする。
【手続補正９】
【補正対象書類名】明細書
【補正対象項目名】００２０
【補正方法】変更
【補正の内容】
【００２０】
請求項７に係る画像伝送方法にあっては、前記画像獲得装置のドライバーは、複数のアプリケーション・プログラムにより使用可能であることを特徴とする。
【手続補正１０】
【補正対象書類名】明細書
【補正対象項目名】００２１
【補正方法】変更
【補正の内容】
【００２１】
請求項８に係るコンピュータ装置にあっては、画像獲得装置によって獲得された画像データを、ネットワークを介してクライアント・コンピュータに送信するコンピュータ装置であって、前記画像獲得装置によって獲得された画像データに関する前記クライアント・コンピュータの利用可能性についての登録を受け付ける手段と、前記画像獲得装置を画像データのソースとして選択している前記クライアント・コンピュータから画像獲得コマンドを受けた場合において、当該クライアント・コンピュータが利用可能なものとして登録されているときには、当該クライアント・コンピュータで動作するアプリケーション・プログラムに対し、前記ネットワークを介して前記画像獲得装置によって獲得された画像データを送信する手段とを具備するものである。
【手続補正１１】
【補正対象書類名】明細書
【補正対象項目名】００２２
【補正方法】変更
【補正の内容】
【００２２】
請求項９に係るコンピュータ読取可能な記録媒体にあっては、コンピュータに、画像獲得装置によって獲得された画像データを送信するコンピュータ装置に、前記画像データに関する当該コンピュータの利用可能性を登録させる手順と、画像データのソースとして選択された画像獲得装置に対応する前記コンピュータ装置に対し、画像獲得コマンドをネットワークを介して送信する手順と、送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを受信する手順と、受信した前記画像データを当該コンピュータで動作するアプリケーション・プログラムに取り込ませる手順とを実行させるためのプログラムを記憶したものである。
【手続補正１２】
【補正対象書類名】明細書
【補正対象項目名】００２３
【補正方法】変更
【補正の内容】
【００２３】
請求項１０に係る画像処理方法にあっては、コンピュータに画像データを取り込む画像処理方法であって、画像獲得装置によって獲得された画像データを送信するコンピュータ装置に、前記画像データに関する当該コンピュータの利用可能性を登録させるステップと、画像データのソースとして選択された画像獲得装置を管理する前記コンピュータ装置に対し、画像獲得コマンドをネットワークを介して送信するステップと、送信した前記画像獲得コマンドに受信した前記コンピュータ装置に当該コンピュータ装置が利用可能なものとして登録されている場合に、前記コンピュータ装置から前記ネットワークを介して送信される前記画像獲得装置によって獲得された画像データを受信するステップと、受信した前記画像データを当該コンピュータで動作するアプリケーション・プログラムに取り込ませるステップとを具備するものである。
【手続補正１３】
【補正対象書類名】明細書
【補正対象項目名】００２４
【補正方法】変更
【補正の内容】
【００２４】
請求項１１に係るコンピュータ読取可能な記録媒体にあっては、コンピュータに、画像獲得装置のドライバーの選択を受け付ける手順と、前記選択した画像獲得装置のドライバーにより、前記画像獲得装置によって獲得された画像データを送信するコンピュータ装置に、前記画像データに関する当該コンピュータの利用可能性を登録させる手順と、画像データのソースとして選択された前記画像獲得装置を管理する前記コンピュータ装置に画像獲得コマンドを前記画像獲得装置のドライバーにより前記ネットワークを介して送信させる手順と、送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを前記選択した画像獲得装置のドライバーに取り込ませる手順と、を実行させるためのプログラムを記憶したものである。
【手続補正１４】
【補正対象書類名】明細書
【補正対象項目名】００２５
【補正方法】変更
【補正の内容】
【００２５】
請求項１２に係る画像処理方法にあっては、画像獲得装置によって獲得された画像データを送信するコンピュータ装置から、ネットワークを介して前記画像データをコンピュータに取り込む画像処理方法であって、前記コンピュータにおいて前記画像獲得装置のドライバーの選択を受け付けるステップと、前記選択した画像獲得装置のドライバーにより、前記コンピュータ装置に前記画像データに関する当該コンピュータの利用可能性を登録させるステップと、画像データのソースとして選択された前記画像獲得装置を対応する前記コンピュータ装置に対し、前記画像獲得装置のドライバーにより前記ネットワークを介して画像獲得コマンドを送信させるステップと、送信した前記画像獲得コマンドを受信した前記コンピュータ装置に当該コンピュータ装置が利用可能なものとして登録されている場合に、前記コンピュータ装置から前記ネットワークを介して送信される前記画像獲得装置によって獲得された画像データを前記選択した画像獲得装置のドライバーに取り込ませるステップとを具備するものである。
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００６３
【補正方法】変更
【補正の内容】
【００６３】
以上説明したように、本発明に係るスキャナからネットワークを介してクライアント・コンピュータに画像情報を伝送するための画像伝送方法、コンピュータ装置、コンピュータ読取可能な記録媒体、および、画像処理方法にあっては、コンピュータ・ネットワークを介してスキャナからクライアント・コンピュータへ画像情報を伝送することができる。
【手続補正３５】
【補正対象書類名】明細書
【補正対象項目名】００６８
【補正方法】変更
【補正の内容】
【００６８】
以下、本発明に係るスキャナからネットワークを介してクライアント・コンピュータに画像情報を伝送するための画像伝送方法、コンピュータ装置、コンピュータ読取可能な記録媒体、および、画像処理方法の好適な実施の形態について、添付の図面を参照して詳細に説明する。